(57)【要約】【課題】視認性の向上を得ることができるようにする。【解決手段】アナログ式メータ画像１５の指針回動中心位置２１を画像表示装置２の画像表示領域３に対してオフセットさせると共に、指針回動中心位置２１のオフセットに伴って指針１６の長さを変更させることにより、指針１６の指している部分を強調表示して、視認性を向上し、注意を喚起することができるようにしている。【選択図】        図２
2004182092.tif 000002
【特許請求の範囲】
【請求項１】
画像表示装置の画像表示領域に、文字目盛表示を有する指針回動領域と指針とを備えたアナログ式メータ画像を表示可能に構成した車両用表示装置であって、
アナログ式メータ画像の指針回動中心位置を画像表示装置の画像表示領域に対してオフセット可能にすると共に、指針回動中心位置のオフセットに伴って指針の長さを変更可能に構成したことを特徴とする車両用表示装置。
【請求項２】
画像表示装置の画像表示領域に対する前記指針回動中心位置のオフセットと併せてアナログ式メータ画像の指針回動領域を変形可能に構成し、
指針回動中心位置のオフセット並びに指針回動領域の変形によって形成された画像表示装置の画像表示領域の空領域に、前記アナログ式メータ画像とは別の画像を表示させ得るように構成したことを特徴とする請求項１記載の車両用表示装置。
【請求項３】
アナログ式メータ画像に対する指針回動中心位置のオフセットは、指針が指し示す反対側へ移動するもので、
指針回動領域は、指針が指し示す側の文字目盛表示の目盛間隔を拡大するよう変形させることを特徴とする請求項１または２記載の車両用表示装置。
【請求項４】
画像表示装置の画像表示領域に、文字目盛表示を有する指針回動領域および指針を備えたアナログ式メータ画像を表示した車両用表示装置であって、
アナログ式メータ画像の指針回動領域を変形可能に構成し、指針回動領域の変形によって形成されたアナログ式メータ画像の空領域に、前記アナログ式メータ画像とは別の画像を表示させ得るように構成したことを特徴とする車両用表示装置。
【発明の詳細な説明】
【０００１】
【発明の属する技術分野】
この発明は、車両用表示装置に関するものである。
【０００２】
【従来の技術】
一般に車両には車室内に車両用表示装置が設けられている。車両用表示装置には、現在、機械式表示装置が多く用いられているが、アナログ式メータ画像を表示可能な画像表示装置を採用することも検討されている。
【０００３】
画像表示装置を採用した車両用表示装置としては、特許文献１に記載されているようなものもある。
【特許文献１】
特開平１１−１６０９１号公報
【０００４】
【発明が解決しようとする課題】
しかしながら、このような従来の車両用表示装置では、アナログ式メータ画像の大きさが一定のままとなっているので、特に視認性を向上する効果が得られないという問題があった。
【０００５】
そこで、本発明の目的は、上記の問題点を解消し、視認性の向上を得ることのできる車両用表示装置を提供することにある。
【０００６】
【課題を解決するための手段】
上記課題を解決するために、請求項１に記載された発明では、画像表示装置の画像表示領域に、文字目盛表示を有する指針回動領域と指針とを備えたアナログ式メータ画像を表示可能に構成した車両用表示装置であって、アナログ式メータ画像の指針回動中心位置を画像表示装置の画像表示領域に対してオフセット可能にすると共に、指針回動中心位置のオフセットに伴って指針の長さを変更可能に構成した車両用表示装置を特徴としている。
【０００７】
このように構成された請求項１にかかる発明によれば、アナログ式メータ画像の指針回動中心位置を画像表示装置の画像表示領域に対してオフセットさせると共に、指針回動中心位置のオフセットに伴って指針の長さを変更させることにより、指針の指している部分を強調表示して、視認性を向上し、注意を喚起することができる。
【０００８】
請求項２に記載された発明では、画像表示装置の画像表示領域に対する前記指針回動中心位置のオフセットと併せてアナログ式メータ画像の指針回動領域を変形可能に構成し、指針回動中心位置のオフセット並びに指針回動領域の変形によって形成された画像表示装置の画像表示領域の空領域に、前記アナログ式メータ画像とは別の画像を表示させ得るように構成した請求項１記載の車両用表示装置を特徴としている。
【０００９】
このように構成された請求項２にかかる発明によれば、指針回動中心位置のオフセット並びに指針回動領域の変形によって形成された画像表示装置の画像表示領域の空領域に対し、前記アナログ式メータ画像とは別の画像を表示させることができる。これにより、アナログ式メータ画像の視認性を低下させずに、画像表示装置の表示情報量を多くすることができる。
【００１０】
請求項３に記載された発明では、アナログ式メータ画像に対する指針回動中心位置のオフセットは、指針が指し示す反対側へ移動するもので、指針回動領域は、指針が指し示す側の文字目盛表示の目盛間隔を拡大するよう変形させる請求項１または２記載の車両用表示装置を特徴としている。
【００１１】
このように構成された請求項３にかかる発明によれば、指針回動中心位置を指針が指し示す反対側へオフセットし、指針が指し示す側の文字目盛表示の目盛間隔を拡大するよう変形させることにより、一層視認性を向上することができる。
【００１２】
請求項４に記載された発明では、画像表示装置の画像表示領域に、文字目盛表示を有する指針回動領域および指針を備えたアナログ式メータ画像を表示した車両用表示装置であって、アナログ式メータ画像の指針回動領域を変形可能に構成し、指針回動領域の変形によって形成されたアナログ式メータ画像の空領域に、前記アナログ式メータ画像とは別の画像を表示させ得るように構成した車両用表示装置を特徴としている。
【００１３】
このように構成された請求項４にかかる発明によれば、指針回動領域の変形によって形成された画像表示領域の空領域に対し、前記アナログ式メータ画像とは別の画像を表示させることができる。これにより、アナログ式メータ画像の視認性を低下させずに、画像表示装置の表示情報量を多くすることができる。
【００１４】
【発明の実施の形態１】
以下、本発明を具体化した実施の形態について、図示例と共に説明する。
図１〜図４は、この発明の実施の形態１を示すものである。
【００１５】
まず、全体的な構成を説明すると、一般に車両には車室内に表示装置１が設けられている。この実施の形態１では、図１に示すように、表示装置１として機械式表示装置ではなく、画像表示装置２を採用する。画像表示装置２は、表示器に画像を表示させるようにしたものである。画像表示装置２には、例えば、液晶パネル、ＥＬパネル、その他のパネル状画像表示器が含まれる。なお、これらのものは、それぞれ固有の特徴および利点を有しており、目的に応じて使い分けられるものである。これらの画像表示装置２は、直接、または、間接的に視認できるように車室内に設置される。
【００１６】
そして、画像表示装置２の画像表示領域３に、運転情報画像４を表示可能に構成する。運転情報画像４としては、例えば、速度計５、回転計６、燃料計７、水温計８等が存在する。なお、これらのものは、必ずしも全部が必要という訳ではない。反対に、必要に応じて、これら以外の運転情報画像４を設けることも可能である。
【００１７】
図１では、例えば、画像表示領域３の左側部分に速度計５が表示され、右側部分に回転計６が表示されている。そして、燃料計７が速度計５の左側に配置され、水温計８が回転計６の右側に配置されている。なお、各運転情報画像４の配置はこれに限るものではない。
【００１８】
ここで、例えば、速度計５、回転計６、燃料計７、水温計８はそれぞれアナログ式メータ画像１５となっている。アナログ式メータ画像１５は指針１６および指針回動領域１７を有するものである。指針回動領域１７は文字目盛表示１８を有している。
【００１９】
上記のように、画像表示装置２の画像表示領域３に、文字目盛表示１８を有する指針回動領域１７と指針１６とを備えたアナログ式メータ画像１５を表示した構成に対してこの発明では、図２〜図４に示すように、アナログ式メータ画像１５の指針回動中心位置２１を画像表示装置２の画像表示領域３に対してオフセット可能に構成する（領域基準位置２２、オフセット量２３）。或いは、アナログ式メータ画像１５の指針回動中心位置２１を指針回動領域１７（の中心）に対してオフセット可能に構成する（メータ基準位置２４、オフセット量２５）。なお、この実施の形態１では、領域基準位置２２とメータ基準位置２４とは一致している。
【００２０】
そして、指針回動中心位置２１のオフセットに伴って指針１６の長さを変更可能に構成する（指針長１６ａ〜１６ｄ）。
【００２１】
特に、アナログ式メータ画像１５に対する指針回動中心位置２１のオフセットは、指針１６が指し示す反対側へ移動させるようにする。
【００２２】
また、指針回動領域１７は、指針１６が指し示す側の文字目盛表示１８の目盛間隔を拡大するよう変形させるようにする（拡大目盛間隔１８ａ）。
【００２３】
反対に、指針回動領域１７は、指針１６が指し示す反対側の文字目盛表示１８の目盛間隔を縮小するよう変形させるようにしても良い（縮小目盛間隔１８ｂ）。
【００２４】
上記発明を具体化するために、この実施の形態１のものでは、例えば、速度計５と回転計６の指針回動中心位置２１をオフセットさせるようにしている。なお、燃料計７、水温計８については指針回動中心位置２１はオフセットさせるようにはしていないが、オフセットさせるようにしても良いことは言うまでもない。
【００２５】
そして、図１に示すように、速度計５と回転計６の指針回動中心位置２１がオフセットしていない標準の状態から、例えば、自動変速機の変速レバーをニュートラルからドライブに移動させると図２〜図４に示すように、指針回動中心位置２１をオフセットさせるようにする。オフセットは縦方向と横方向のいずれか一方または両方とする。ここで、速度計５と回転計６は、共に、時計周りに文字目盛表示１８の数値が大きくなるように構成されている。そして、速度計５と回転計６は、共に、左斜下が数値０、右斜下が最大値となるように構成されている。
【００２６】
図２では、低速域（または停止域）において速度計５の指針回動中心位置２１を図中右側（高速域の側）へオフセットさせるようにしている。また、低回転域（または無回転域）において回転計６の指針回動中心位置２１を図中右側（高回転域の側）へオフセットさせるようにしている。
【００２７】
図３では、中速域において速度計５の指針回動中心位置２１を図中下側（文字目盛表示１８が形成されていない側）へオフセットさせるようにしている。また、中回転域において回転計６の指針回動中心位置２１を図中下側（文字目盛表示１８が形成されていない側）へオフセットさせるようにしている。
【００２８】
図４では、高速域において速度計５の指針回動中心位置２１を図中左側（低速域の側）へオフセットさせるようにしている。また、高回転域において回転計６の指針回動中心位置２１を図中左側（低回転域の側）へオフセットさせるようにしている。なお、画像表示領域３に対して指針回動領域１７はオフセットされていない。
【００２９】
また、図２〜図４で、指針回動中心位置２１をオフセットした分だけ、図１の場合よりも指針１６をそれぞれ長くしている。
【００３０】
更に、図２に示すように、低速域において速度計５の指針回動中心位置２１を図中右側へオフセットさせたことに伴い、左側（低速域の側）の文字目盛表示１８の目盛間隔を拡大し、反対に、右側（高速域の側）の文字目盛表示１８の目盛間隔を縮小するようにしている。また、低回転域において回転計６の指針回動中心位置２１を図中右側へオフセットさせたことに伴い、左側（低回転域の側）の文字目盛表示１８の目盛間隔を拡大し、反対に、右側（高回転域の側）の文字目盛表示１８の目盛間隔を縮小するようにしている。
【００３１】
図３に示すように、中速域において速度計５の指針回動中心位置２１を図中下側へオフセットさせたことに伴い、上側（中速域の側）の文字目盛表示１８の目盛間隔を拡大し、反対に、左側（低速域の側）と右側（高速域の側）の文字目盛表示１８の目盛間隔を縮小するようにしている。また、中回転域において回転計６の指針回動中心位置２１を図中下側へオフセットさせたことに伴い、上側（中回転域の側）の文字目盛表示１８の目盛間隔を拡大し、反対に、左側（低回転域の側）と右側（高回転域の側）の文字目盛表示１８の目盛間隔を縮小するようにしている。
【００３２】
図４に示すように、高速域において速度計５の指針回動中心位置２１を図中左側へオフセットさせたことに伴い、右側（高速域の側）の文字目盛表示１８の目盛間隔を拡大し、反対に、左側（低速域の側）の文字目盛表示１８の目盛間隔を縮小するようにしている。また、高回転域において回転計６の指針回動中心位置２１を図中左側へオフセットさせたことに伴い、右側（高回転域の側）の文字目盛表示１８の目盛間隔を拡大し、反対に、左側（低回転域の側）の文字目盛表示１８の目盛間隔を縮小するようにしている。
【００３３】
なお、上記において、速度計５および回転計６は指針回動領域１７の大きさおよび形状は特に変形されていない。
次に、この実施の形態１の作用について説明する。
【００３４】
この実施の形態１では、図１に示すように、指針回動中心位置２１がオフセットしていない標準の状態から、例えば、自動変速機の変速レバーとニュートラルからドライブにチェンジすると、以下のように指針回動中心位置２１をオフセットさせる。
【００３５】
図２に示すように、低速域（停止域）においては、速度計５の指針回動中心位置２１を図中右側へオフセットさせる。これに伴い、速度計５の左側の文字目盛表示１８の目盛間隔を拡大する。また、低回転域（無回転域）においては、回転計６の指針回動中心位置２１を図中右側へオフセットさせる。これに伴い、回転計６の左側の文字目盛表示１８の目盛間隔を拡大する。そして、指針回動中心位置２１をオフセットした分だけ、各指針１６を長くする。
【００３６】
図３に示すように、中速域においては、速度計５の指針回動中心位置２１を図中下側へオフセットさせる。これに伴い、速度計５の上側の文字目盛表示１８の目盛間隔を拡大する。また、中回転域においては、回転計６の指針回動中心位置２１を図中下側へオフセットさせる。これに伴い、回転計６の上側の文字目盛表示１８の目盛間隔を拡大する。そして、指針回動中心位置２１をオフセットした分だけ、各指針１６を長くする。
【００３７】
図４に示すように、高速域においては、速度計５の指針回動中心位置２１を図中左側へオフセットさせる。これに伴い、速度計５の右側の文字目盛表示１８の目盛間隔を拡大する。また、高回転域においては、回転計６の指針回動中心位置２１を図中左側へオフセットさせる。これに伴い、回転計６の右側の文字目盛表示１８の目盛間隔を拡大する。そして、指針回動中心位置２１をオフセットした分だけ、各指針１６を長くする。
【００３８】
なお、燃料計７、水温計８については特にオフセットさせていないが、オフセットさせても良いことは言うまでもない。
【００３９】
このように、アナログ式メータ画像１５の指針回動中心位置２１を画像表示装置２の画像表示領域３に対してオフセットさせると共に、指針回動中心位置２１のオフセットに伴って指針１６の長さを変更させることにより、指針１６の指している部分を強調表示して、視認性を向上し、注意を喚起することができる。なお、アナログ式メータ画像１５の指針回動中心位置２１を指針回動領域１７に対してオフセットさせるようにしても、同様の効果を得ることができる。
【００４０】
また、指針回動中心位置２１を指針１６が指し示す反対側へオフセットし、指針１６が指し示す側の文字目盛表示１８の目盛間隔を拡大するよう変形させることにより、指針１６や文字目盛表示１８を強調して一層視認性を向上することができる。
【００４１】
【発明の実施の形態２】
図５〜図９は、この発明を具体化した実施の形態２を示すものである。なお、実施の形態１と同一ないし均等な部分については、同一の符号を付すものとし、説明が省略されている部分については、上記実施の形態１の説明に準ずるものとする。
【００４２】
まず、構成を説明すると、画像表示装置２の画像表示領域３の構成は、基本的に実施の形態１のものと同じである。但し、燃料計７、水温計８が省略され、デジタル式速度情報表示３１、距離計３２、各種警告灯３３、地形情報等表示部３４などが付加されている点が異なっている。また、速度計５、回転計６の意匠が異なっている。なお、これらの相違は、本発明の要旨には直接影響しないものである。
【００４３】
また、画像表示装置２の画像表示領域３に、文字目盛表示１８を有する指針回動領域１７と指針１６とを備えたアナログ式メータ画像１５を表示可能に構成した点については実施の形態１と同様である。
【００４４】
アナログ式メータ画像１５の指針回動中心位置２１を画像表示装置２の画像表示領域３に対してオフセット可能にすると共（領域基準位置２２、オフセット量２３）に、指針回動中心位置２１のオフセットに伴って指針１６の長さを変更可能に構成した点については実施の形態１と同様である。
【００４５】
アナログ式メータ画像１５に対する指針回動中心位置２１のオフセットは、指針１６が指し示す反対側へ移動する点については実施の形態１と同様である。
【００４６】
指針回動領域１７は、指針１６が指し示す側の文字目盛表示１８の目盛間隔を拡大するように変形させる点については実施の形態１と同様である。
【００４７】
反対に、指針回動領域１７は、指針１６が指し示す反対側の文字目盛表示１８の目盛間隔を縮小するよう変形させるようにしても良い点については実施の形態１と同様である。
【００４８】
この実施の形態２のものでは、画像表示装置２の画像表示領域３に対する指針回動中心位置２１のオフセットと併せてアナログ式メータ画像１５の指針回動領域１７を変形可能に構成し、指針回動中心位置２１のオフセット並びに指針回動領域１７の変形によって形成された画像表示装置２の画像表示領域３の空領域に、アナログ式メータ画像１５とは別の画像（例えば、地形情報等表示部３４）を表示させ得るように構成する。
【００４９】
上記発明を具体化するために、この実施の形態２のものでは、図５に示すように、指針回動中心位置２１が画像表示領域３に対してオフセットしていない標準の状態から、例えば、図６〜図９に示すように、アナログ式メータ画像１５の指針回動領域１７を横が短く縦が長い略縦長の長円形に変形し、画像表示領域３に対して指針回動中心位置２１を左右方向へオフセットさせるようにする。
【００５０】
即ち、図６に示すように、速度計５および回転計６の指針回動領域１７の大きさおよび形状を横方向へ縮小するようにする。そして、速度計５および回転計６の全体を画像表示領域３に対し左右方向で、且つ、相反する方向へオフセットするようにする。即ち、速度計５を図中左側へ、また、回転計６を図中右側へ移動するようにする。この際、図６（ｂ）に示すように、速度計５および回転計６を、それぞれ中央に向けて傾斜配置されたかの如き表示とすることにより、立体感や高級感等を出し得るように演出することができる。
そして、画像表示領域３の中央に位置していたデジタル式速度情報表示３１を速度計５の下部へ移動するようにする。すると、画像表示領域３の中央が空領域となるので、この空領域に別の画像（例えば、地形情報等表示部３４）を表示させるようにする。
この地形情報等表示部３４には、カーナビケーション装置の地図データを二次元表示させても３次元表示させても良い。また、地形情報等表示部３４には、実際の風景画像やその他の交通情報などを表示させても良い。なお、画像表示領域３の中央に空領域を形成する例を示したが、画像表示領域３の左側や右側等に空領域を形成させ、そこに別の画像を表示させるようにできることは勿論である。
【００５１】
こうして、図６に示すように、指針回動領域１７の大きさおよび形状を横方向へ縮小し、画像表示領域３に対して速度計５および回転計６の全体を左右方向の外側へオフセットした上で、更に、図７〜図９に示すように、速度計５および回転計６の指針回動領域１７の中心に対して指針回動中心位置２１をそれぞれオフセットさせるようにする（図６（ｂ）参照、メータ基準位置２４、オフセット量２５）。
【００５２】
即ち、指針回動領域１７の中心に対して指針回動中心位置２１がある図６に対し、図７では、低速域において速度計５の指針回動中心位置２１を図中右側へオフセットさせるようにしている。また、低回転域において回転計６の指針回動中心位置２１を図中右側へオフセットさせるようにしている。図８では、中速域において速度計５の指針回動中心位置２１を図中下側へオフセットさせるようにしている。また、中回転域において回転計６の指針回動中心位置２１を図中下側へオフセットさせるようにしている。図９では、高速域において速度計５の指針回動中心位置２１を図中左側へオフセットさせるようにしている。また、高回転域において回転計６の指針回動中心位置２１を図中左側へオフセットさせるようにしている。
【００５３】
次に、この実施の形態２の作用について説明する。
【００５４】
この実施の形態２では、図５に示すように、指針回動領域１７がオフセットしていない標準の状態から、例えば、以下のように指針回動領域１７をオフセットさせる。
【００５５】
即ち、図６に示すように、速度計５および回転計６の指針回動領域１７の大きさおよび形状を横方向へ縮小する。そして、速度計５および回転計６の全体を画像表示領域３に対し相反する方向へオフセットする。即ち、速度計５を図中左側へ、また、回転計６を図中右側へ移動する。この際、図６（ｂ）に示すように、速度計５および回転計６を、それぞれ中央に向けて傾斜配置されたかの如き表示とすることにより、立体感や高級感等を出し得るように演出する。そして、画像表示領域３の中央に位置していたデジタル式速度情報表示３１を速度計５の下部へ移動する。すると、画像表示領域３の中央が空領域となるので、この空領域に別の画像（例えば、地形情報等表示部３４）を表示させる。この地形情報等表示部３４には、カーナビケーション装置の地図データを二次元表示させても３次元表示させても良い。また、地形情報等表示部３４には、実際の風景画像やその他の交通情報などを表示させても良い。なお、画像表示領域３の中央に空領域を形成する例を示したが、画像表示領域３の左側や右側等に空領域を形成させるようにしても良い。
【００５６】
そして、図６に示すように、指針回動領域１７の大きさおよび形状を横方向へ縮小し、画像表示領域３に対して速度計５および回転計６の全体をオフセットした上で、更に、図７〜図９に示すように、速度計５および回転計６の指針回動領域１７の中心に対して指針回動中心位置２１をそれぞれオフセットさせる（図６（ｂ）参照）。
【００５７】
即ち、指針回動領域１７の中心に対して指針回動中心位置２１がある図６に対し、図７では、低速域において速度計５の指針回動中心位置２１を図中右側へオフセットさせる。また、低回転域において回転計６の指針回動中心位置２１を図中右側へオフセットさせる。図８では、中速域において速度計５の指針回動中心位置２１を図中下側へオフセットさせる。また、中回転域において回転計６の指針回動中心位置２１を図中下側へオフセットさせる。図９では、高速域において速度計５の指針回動中心位置２１を図中左側へオフセットさせる。また、高回転域において回転計６の指針回動中心位置２１を図中左側へオフセットさせる。
【００５８】
このように、この実施の形態２によれば、実施の形態１と同様に、アナログ式メータ画像１５の指針回動中心位置２１を画像表示装置２の画像表示領域３に対してオフセットさせると共に、指針回動中心位置２１のオフセットに伴って指針１６の長さを変更させることにより、指針１６の指している部分を強調表示して、視認性を向上し、注意を喚起することができる。
【００５９】
また、指針回動中心位置２１を指針１６が指し示す反対側へオフセットし、指針１６が指し示す側の文字目盛表示１８の目盛間隔を拡大するよう変形させることにより、一層視認性を向上することができる。
【００６０】
そして、この実施の形態２によれば、指針回動中心位置２１のオフセット並びに指針回動領域１７の変形によって形成された画像表示装置２の画像表示領域３の空領域に対し、アナログ式メータ画像１５とは別の画像を表示させることができる。これにより、アナログ式メータ画像１５の視認性を低下させずに、画像表示装置２の表示情報量を多くすることができるという特有の効果を得ることができる。
【００６１】
上記以外の部分については、上記実施の形態と同様の構成を備えており、同様の作用・効果を得ることができる。
【００６２】
【変形例】
図１０〜図１３は、この実施の形態２の第１の変形例である。
【００６３】
上記実施の形態２では、図中左側へ移動した速度計５および図中右側へ移動した回転計６の指針回動領域１７を全域で平坦に見えるように表示しているのに対し、この第１の変形例では、指針回動領域１７を全域で凸面に見えるように表示している。このようにすることにより、立体感や高級感等を一層際立たせることができる。
【００６４】
図１４〜図１７は、この実施の形態２の第２の変形例である。
【００６５】
この第２の変形例では、第１の変形例に対し、指針回動領域１７を全域で凹面に見えるように表示している。このようにすることにより、第１の変形例と同様に、立体感や高級感等を一層際立たせることができる。
【００６６】
図１８〜図２１は、この実施の形態２の第３の変形例である。
【００６７】
この第３の変形例では、第１、第２の変形例に対し、指針回動領域１７を凸面、平坦面、凹面に変化して見えるように表示している。この場合において、低域を凸面、中域を平坦面、高域を凹面としている。このようにすることにより、第１、第２の変形例と同様に、立体感や高級感等を一層際立たせることができる。更に、立体感の変化により、更に、視認性の良いものとすることができる。なお、速度計５と回転計６の凹凸を同期させるようにしているが、これを同期しないようにしたり逆作動するようにしたりできることは勿論である。
【００６８】
図２２〜図２５は、この実施の形態２の第４の変形例である。
【００６９】
この第４の変形例では、第３の変形例と同様、指針回動領域１７を凹面、平坦面、凸面に変化して見えるように表示している。この場合において、低域を凹面、中域を平坦面、高域を凸面としている。このようにすることにより、第１、第２の変形例と同様に、立体感や高級感等を一層際立たせることができる。更に、第３の変形例と同様に、立体感の変化により、更に、視認性の良いものとすることができる。なお、速度計５と回転計６の凹凸を同期させるようにしているが、これを同期しないようにしたり逆作動するようにしたりできることは勿論である。
【００７０】
上記以外の部分については、上記実施の形態２と同様の構成を備えており、同様の作用・効果を得ることができる。なお、説明が省略されている部分については、上記実施の形態２の説明に準じるものとする。
【００７１】
【発明の実施の形態３】
図２６〜図２９は、この発明を具体化した実施の形態３を示すものである。なお、実施の形態１または２と同一ないし均等な部分については、同一の符号を付すものとし、説明が省略されている部分については、上記実施の形態１、２の説明に準じるものとする。
【００７２】
まず、構成を説明すると、画像表示装置２の画像表示領域３の構成は、基本的に実施の形態２のものと同じである。
【００７３】
また、画像表示装置２の画像表示領域３に、文字目盛表示１８を有する指針回動領域１７と指針１６とを備えたアナログ式メータ画像１５を表示可能に構成した点については実施の形態１と同様である。
【００７４】
この実施の形態３のものでは、アナログ式メータ画像１５の指針回動領域１７を変形可能に構成し、指針回動領域１７の変形によって形成されたアナログ式メータ画像１５の空領域に、アナログ式メータ画像１５とは別の画像を表示させ得るように構成している点に特徴がある。
【００７５】
そして、アナログ式メータ画像１５の指針回動中心位置２１を画像表示装置２の画像表示領域３および指針回動領域１７に対してオフセットさせないようにしている点で実施の形態１、２とは異なっている。
【００７６】
上記発明を具体化するために、この実施の形態３のものでは、図５に示すように、指針回動中心位置２１がオフセットしていない標準の状態から、例えば、図２６〜図２９に示すように、アナログ式メータ画像１５の指針回動中心位置２１をオフセットさせずに、指針回動領域１７を変形するようにする。
【００７７】
即ち、速度計５および回転計６の指針回動領域１７の大きさおよび形状を横方向へ縮小するようにする。この際、図６（ｂ）と同様に、速度計５および回転計６を、それぞれ中央に向けて傾斜配置されたかの如き表示とすることができ、これにより、立体感や高級感等を出し得るように演出することができる。そして、画像表示領域３の中央に位置していたデジタル式速度情報表示３１を速度計５の下部へ移動するようにする。すると、画像表示領域３の中央が空領域となるので、この空領域に別の画像（例えば、地形情報等表示部３４）を表示させるようにする。この地形情報等表示部３４には、カーナビケーション装置の地図データを二次元表示させても３次元表示させても良い。また、地形情報等表示部３４には、実際の風景画像やその他の交通情報などを表示させても良い。なお、画像表示領域３の中央に空領域を形成する例を示したが、画像表示領域３の左側や右側等に空領域を形成させ、そこに別の画像を表示させるようにできることは勿論である。次に、この実施の形態３の作用について説明する。
【００７８】
この実施の形態３では、図５に示すように、指針回動領域１７がオフセットしていない標準の状態から、例えば、以下のように指針回動領域１７を変形させる。
【００７９】
即ち、図２６〜図２９に示すように、速度計５および回転計６の指針回動領域１７の大きさおよび形状を横方向へ縮小する。この際、図６（ｂ）と同様に、速度計５および回転計６を、それぞれ中央に向けて傾斜配置されたかの如き表示とすることにより、立体感や高級感等を出し得るように演出することができる。そして、画像表示領域３の中央に位置していたデジタル式速度情報表示３１を速度計５の下部へ移動する。すると、画像表示領域３の中央が空領域となるので、この空領域に別の画像（例えば、地形情報等表示部３４）を表示させる。この地形情報等表示部３４には、カーナビケーション装置の地図データを二次元表示させても３次元表示させても良い。また、地形情報等表示部３４には、実際の風景画像やその他の交通情報などを表示させても良い。なお、画像表示領域３の中央に空領域を形成する例を示したが、画像表示領域３の左側や右側等に空領域を形成させるようにしても良い。
【００８０】
なお、速度計５および回転計６の指針回動領域１７は、実施の形態２と同様に全域で平坦に見えるように表示したり、実施の形態２の各変形例と同様に凹凸面などに見えるように表示したりしても良い。
【００８１】
このように、この実施の形態３によれば、指針回動領域１７の変形によって形成された画像表示領域３の空領域に対し、アナログ式メータ画像１５とは別の画像を表示させることができる。これにより、アナログ式メータ画像１５の視認性を低下させずに、画像表示装置２の表示情報量を多くすることができる。
【００８２】
以上、この発明の実施の形態を図面により詳述してきたが、実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。
【００８３】
例えば、上記各実施の形態の上記した以外の組合せも可能である。
【００８４】
【発明の効果】
以上説明してきたように、請求項１の発明によれば、アナログ式メータ画像の指針回動中心位置を画像表示装置の画像表示領域に対してオフセットさせると共に、指針回動中心位置のオフセットに伴って指針の長さを変更させることにより、指針の指している部分を強調表示して、視認性を向上し、注意を喚起することができる。
【００８５】
請求項２の発明によれば、指針回動中心位置のオフセット並びに指針回動領域の変形によって形成された画像表示装置の画像表示領域の空領域に対し、前記アナログ式メータ画像とは別の画像を表示させることができる。これにより、アナログ式メータ画像の視認性を低下させずに、画像表示装置の表示情報量を多くすることができる。
【００８６】
請求項３の発明によれば、指針回動中心位置を指針が指し示す反対側へオフセットし、指針が指し示す側の文字目盛表示の目盛間隔を拡大するよう変形させることにより、一層視認性を向上することができる。
【００８７】
請求項４の発明によれば、指針回動領域の変形によって形成された画像表示領域の空領域に対し、前記アナログ式メータ画像とは別の画像を表示させることができる。これにより、アナログ式メータ画像の視認性を低下させずに、画像表示装置の表示情報量を多くすることができる、という実用上有益な効果を発揮し得る。
【図面の簡単な説明】
【図１】本発明の実施の形態１にかかるオフセット前の標準状態を示す図である。
【図２】図１の低域におけるオフセット状態を示す図である。
【図３】図１の中域におけるオフセット状態を示す図である。
【図４】図１の高域におけるオフセット状態を示す図である。
【図５】本発明の実施の形態２にかかるオフセット前の標準状態を示す図である。
【図６】（ａ）は図５の停止域におけるオフセット状態を示す図、（ｂ）は立体表示効果を示す図である。
【図７】（ａ）は図５の低域におけるオフセット状態を示す図、（ｂ）は立体表示効果を示す図である。
【図８】（ａ）は図５の中域におけるオフセット状態を示す図、（ｂ）は立体表示効果を示す図である。
【図９】（ａ）は図５の高域におけるオフセット状態を示す図、（ｂ）は立体表示効果を示す図である。
【図１０】（ａ）は実施の形態２の第１の変形例にかかる停止域におけるオフセット状態を示す図、（ｂ）は立体表示効果を示す図である。
【図１１】（ａ）は図１０の低域におけるオフセット状態を示す図、（ｂ）は立体表示効果を示す図である。
【図１２】（ａ）は図１０の中域におけるオフセット状態を示す図、（ｂ）は立体表示効果を示す図である。
【図１３】（ａ）は図１０の高域におけるオフセット状態を示す図、（ｂ）は立体表示効果を示す図である。
【図１４】（ａ）は実施の形態２の第２の変形例にかかる停止域におけるオフセット状態を示す図、（ｂ）は立体表示効果を示す図である。
【図１５】（ａ）は図１４の低域におけるオフセット状態を示す図、（ｂ）は立体表示効果を示す図である。
【図１６】（ａ）は図１４の中域におけるオフセット状態を示す図、（ｂ）は立体表示効果を示す図である。
【図１７】（ａ）は図１４の高域におけるオフセット状態を示す図、（ｂ）は立体表示効果を示す図である。
【図１８】（ａ）は実施の形態２の第３の変形例にかかる停止域におけるオフセット状態を示す図、（ｂ）は立体表示効果を示す図である。
【図１９】（ａ）は図１８の低域におけるオフセット状態を示す図、（ｂ）は立体表示効果を示す図である。
【図２０】（ａ）は図１８の中域におけるオフセット状態を示す図、（ｂ）は立体表示効果を示す図である。
【図２１】（ａ）は図１８の高域におけるオフセット状態を示す図、（ｂ）は立体表示効果を示す図である。
【図２２】（ａ）は実施の形態２の第４の変形例にかかる停止域におけるオフセット状態を示す図、（ｂ）は立体表示効果を示す図である。
【図２３】（ａ）は図２２の低域におけるオフセット状態を示す図、（ｂ）は立体表示効果を示す図である。
【図２４】（ａ）は図２２の中域におけるオフセット状態を示す図、（ｂ）は立体表示効果を示す図である。
【図２５】（ａ）は図２２の高域におけるオフセット状態を示す図、（ｂ）は立体表示効果を示す図である。
【図２６】（ａ）は本発明の実施の形態３にかかる停止域の状態を示す図、（ｂ）は立体表示効果を示す図である。
【図２７】（ａ）は図２２の低域の状態を示す図、（ｂ）は立体表示効果を示す図である。
【図２８】（ａ）は図２２の中域の状態を示す図、（ｂ）は立体表示効果を示す図である。
【図２９】（ａ）は図２２の高域の状態を示す図、（ｂ）は立体表示効果を示す図である。
【符号の説明】
１    車両用表示装置
２    画像表示装置
３    画像表示領域
１５  アナログ式メータ画像
１６  指針
１７  指針回動領域
１８  文字目盛表示
２１  指針回動中心位置
【図１】
2004182092.tif 000003
【図２】
2004182092.tif 000004
【図３】
2004182092.tif 000005
【図４】
2004182092.tif 000006
【図５】
2004182092.tif 000007
【図６】
2004182092.tif 000008
【図７】
2004182092.tif 000009
【図８】
2004182092.tif 000010
【図９】
2004182092.tif 000011
【図１０】
2004182092.tif 000012
【図１１】
2004182092.tif 000013
【図１２】
2004182092.tif 000014
【図１３】
2004182092.tif 000015
【図１４】
2004182092.tif 000016
【図１５】
2004182092.tif 000017
【図１６】
2004182092.tif 000018
【図１７】
2004182092.tif 000019
【図１８】
2004182092.tif 000020
【図１９】
2004182092.tif 000021
【図２０】
2004182092.tif 000022
【図２１】
2004182092.tif 000023
【図２２】
2004182092.tif 000024
【図２３】
2004182092.tif 000025
【図２４】
2004182092.tif 000026
【図２５】
2004182092.tif 000027
【図２６】
2004182092.tif 000028
【図２７】
2004182092.tif 000029
【図２８】
2004182092.tif 000030
【図２９】
2004182092.tif 000031
【手続補正書】
【提出日】平成14年12月4日(2002.12.4)
【手続補正１】
【補正対象書類名】図面
【補正対象項目名】全図
【補正方法】変更
【補正の内容】
【図１】
2004182092.tif 000032
【図２】
2004182092.tif 000033
【図３】
2004182092.tif 000034
【図４】
2004182092.tif 000035
【図５】
2004182092.tif 000036
【図６】
2004182092.tif 000037
【図７】
2004182092.tif 000038
【図８】
2004182092.tif 000039
【図９】
2004182092.tif 000040
【図１０】
2004182092.tif 000041
【図１１】
2004182092.tif 000042
【図１２】
2004182092.tif 000043
【図１３】
2004182092.tif 000044
【図１４】
2004182092.tif 000045
【図１５】
2004182092.tif 000046
【図１６】
2004182092.tif 000047
【図１７】
2004182092.tif 000048
【図１８】
2004182092.tif 000049
【図１９】
2004182092.tif 000050
【図２０】
2004182092.tif 000051
【図２１】
2004182092.tif 000052
【図２２】
2004182092.tif 000053
【図２３】
2004182092.tif 000054
【図２４】
2004182092.tif 000055
【図２５】
2004182092.tif 000056
【図２６】
2004182092.tif 000057
【図２７】
2004182092.tif 000058
【図２８】
2004182092.tif 000059
【図２９】
2004182092.tif 000060